(57)【要約】【課題】    バック布に凹凸部がなくて薄く形成されており、バック布には雄、雌係止具の頭部のみが外面に現れるだけで、プレーンでスッキリとしたおしゃれな外観で、着用時において違和感を生じることのない着心地のよいブラジャーなどのバック部を有する衣類を提供すること。【解決手段】脇下部から背中部にかけて溶着するバック布４に設けた雄、雌係止具１２、１６により着脱自在になるブラジャーなどのバック部を有する衣類である。バック布４の内面部に雄、雌係止具１２、１６を一体的に取付ける。雄、雌係止具１２，１６の頭部１２ａ、１６ａを切目１３から露出している。【選択図】        図３
2006200084.tif 000002
【特許請求の範囲】
【請求項１】
脇下部から背中部にかけて密着するバック布に設けた雄、雌係止具により着脱自在になるブラジャーなどのバック部を有する衣類において、バック布の内面部に雄、雌係止具を一体的に取付け、その雄、雌係止具の頭部を切目から露出していることを特徴とするブラジャーなどのバック部を有する衣類。
【請求項２】
前記バック布は伸縮性表生地と伸縮性裏生地を熱接着フィルムで熱溶着した薄い生地である請求項１記載のブラジャーなどのバック部を有する衣類。
【請求項３】
前記バック布は雄、雌係止具の取付け部において凹凸の段差がないように形成されている請求項１または２記載のブラジャーなどのバック部を有する衣類。
【請求項４】
前記熱接着フィルムは長手方向に沿って開口部を設けてある請求項１から３のいずれか一つに記載のブラジャーなどのバック部を有する衣類。
【請求項５】
前記雄、雌係止具はフックとアイよりなる係止具である請求項１から４のいずれか一つに記載のブラジャーなどのバック部を有する衣類。
【発明の詳細な説明】
【技術分野】
【０００１】
本発明は、ブラジャー、ブラスリップ、ボディスーツ、水着などのようにバック布を有し、その締め付け作用で脇下部から背中部にかけて密着して固定するバック部を有する衣類に関するものである。
【背景技術】
【０００２】
バック布を有する代表的な衣類であるブラジャーは、一般的に左右のカップ布と、そのカップ布の下端部に縫着する土台布と、脇下部から背中部にかけて密着固定される左右のバック布と、肩紐とから構成されている。
【０００３】
上記の各部材によって構成されるブラジャーは、バック布に取付けられたフック金具とアイ金具との係脱によって着脱自在にしてある。このフック金具とアイ金具は、バック布とは別体の比較的厚いテープ生地に縫い付けられている。すなわち、一方のバック布の一端部に、一定間隔毎で複数列に取付けられたアイ金具のテープ生地が縫着されると共に、そのアイ金具と係止するフック金具が取付けられたフックテープ生地が他方のバック布の一端部に縫着されており、このフック金具とアイ金具の係脱によって着脱自在にしてある。
【０００４】
アイ金具が取付けられたテープは、ブラジャーを着用する時に、着用者のバストサイズの大小に応じて調整できるように、テープ生地の表面にアイ金具の取付け基部を隠す被覆布とアイ金具が上段、中段、下段の３段に取付けられており、上段の被覆布は基布テープの表面に縫着され、中段の被覆布は上段の被覆布に縫着され、下段の被覆布は中段の被覆布に縫着されており、その係脱位置を変えることにより、締め付け具合を調整できるようになっていて、テープは下段になるほど厚くなるアイテープが知られている。（例えば、特許文献１）
【０００５】
上記のアイテープは複数枚の被覆布を重合して厚くなっているから、縫製作業する前に折り目付け加工など縫着しやすくするための準備を必要とし、時間と手間がかかり、かつ、その縫製作業は熟練した者でなければできなかった。また、ミシン縫製の縫糸がテープの表裏面に現れ、その縫糸が肌に接触すると違和感を覚えたり、縫糸の表面に生じた凹面および凸面が肌に接触すると肌荒れを生じたり、痒みを生じることがあった。さらに、薄いアウターウエアーを着用すると、外面からその肉厚部分の盛り上がりが見えて不体裁になると言った問題点があった。
【０００６】
そのような欠点を解消するものとして、フック・アイ金具を比較的薄いテープ生地に取付け、その薄いテープ生地をバック布に縫着するのでなく、熱接着フィルムによる熱溶着で接合するタイプのフック・アイテープが知られている。このフック・アイテープの外面には縫着による縫糸が現れないので外観優美になり、生地厚さの硬直感も少なく、着心地も悪いことはないので好評を得ている。（例えば、特許文献２）
【特許文献１】特開２００２−２８００９号公報
【特許文献２】登録実用新案第３１０４２６１号
【発明の開示】
【発明が解決しようとする課題】
【０００７】
しかしながら、上記の特許文献２の熱接着フィルムによるタイプのフック・アイテープは、バック布の一端部の外表面に接合されるので、外面に現れることになり外観が不体裁であった。また、バック布の部分とフック・アイテープを重ね合わせた所とでは段差が付き凹凸部ができることから、装着した時に違和感が生じる問題点があった。
【０００８】
本発明は、上記のような問題を解決することを課題として研究開発されたもので、バック布の外面にフック・アイテープがなくて凹凸部を生じることがなくなると共に、薄く形成されており、バック布には雄、雌係止具の頭部のみが外面に現れるだけで、プレーンでスッキリとしたおしゃれな外観に仕上がり、かつ、着用時において違和感を生じることのない着心地のよいブラジャーなどのバック部を有する衣類を提供することを目的とするものである。
【課題を解決するための手段】
【０００９】
上記の課題を解決し、その目的を達成する手段として、本発明は、脇下部から背中部にかけて密着するバック布に設けた雄、雌係止具により着脱自在になるブラジャーなどのバック部を有する衣類において、バック布の内面部に雄、雌係止具を一体的に取付け、その雄、雌係止具の頭部を切目から露出していることを特徴とするブラジャーなどのバック部を有する衣類を開発し、採用した。
【００１０】
また、本発明では、上記のように構成したブラジャーなどのバック部を有する衣類において、バック布は伸縮性表生地と伸縮性裏生地を熱接着フィルムで熱溶着した薄い生地であるブラジャーなどのバック部を有する衣類、およびバック布は雄、雌係止具の取付け部において凹凸の段差がないように形成されているブラジャーなどのバック部を有する衣類、および熱接着フィルムは長手方向に沿って開口部を設けてあるブラジャーなどのバック部を有する衣類、および雄、雌係止具はフックとアイよりなる係止具であるブラジャーなどのバック部を有する衣類を開発し、採用した。
【発明の効果】
【００１１】
本発明は、雄、雌係止具がバック布の内面部で一体化されていると共に、雄、雌係止具の頭部のみがバック布の外面に現れるだけであり、従来のフック・アイテープのように、段差による凹凸部がなく、全体が同じ厚さで薄く形成されているから、着用者の肌への食い込みや部分的な圧迫による不快感がなくなり、適度の締め付け力で身体に密着してずり上がりなどなく着心地が良好になる。また、バック布の外観がスマートですっきりとした優美な外観になる。さらに、薄いアウターを着用しても目立つことがない。また、熱接着フィルムには長さ方向に窓部を設けてあるから、表生地と裏生地を接合した時の通気性を損なうことがなく着用感が良く、伸縮性や強度性をも自在に変更できる便利さがある。
【発明を実施するための最良の形態】
【００１２】
以下に、本発明の実施の形態をバック部を有する衣類の代表的なブラジャーの例で説明する。図１に示すように、ブラジャー本体１は、両乳房を覆う左右一対のカップ布２と、この両カップ布２と連結する土台布３と、カップ布２の脇側から背中部にあてがわれるバック布４と、カップ布２の上端とバック布４の上辺を連結するストラップ５とで構成されている。
【００１３】
上記のカップ布２、土台布３、ストラップ５はいずれも従来の公知のものと変わらないことから説明は省略し、バック布４について説明をする。すなわち、図３〜図５に示すように、背中部に沿う部分が細帯体６に形成されており、その細帯体６から正面部のカップ布２に向かって上下辺が徐々に幅広くなるように形成され、その先端部をカップ布２の側縁部と縫着する弧状面７に形成されており、上辺部にはストラップ５を繋着する突出片８を有する形状になっている。
【００１４】
このバック布４は横方向および縦方向の両方向に伸縮性を有するが、横方向により大きな伸縮性を有する伸縮性経編生地、例えばパワーネットなどが適しており、上下辺および両側辺はホツレを生じない縁になっており、表生地９と裏生地１０の間にウレタンエラストマーフィルム１１を介して熱溶着され厚さが１．０ｍｍ程度の薄い生地に仕上がっている。
【００１５】
左側バック布４ａは、図４に示すように、細帯体６の一端部にアイ金具１２の頭部のループ部１２ａが表生地９に設けた一定間隔毎の縦切目１３から突出している。すなわち、図３に示すように、表生地９と裏生地１０の間に、ウレタンエラストマーフィルム１１および図９，１０に示すアイ金具１２の脚部１２ｂが縫糸で取付けられたテープ布１４、そのテープ布１４と同形同大の方形状のウレタンエラストマーフィルム１５を配し、アイ金具１２のループ部１２ａを表生地９に設けた縦切目１３からループ部１２ａのみを露出させ、表生地９の表面からアイロンなどで加熱して一体的にするものである。
【００１６】
一方、右側バック布４ｂは、図５に示すように、細帯体６の一端部にフック金具１６の頭部のフック部１６ａが裏生地１０に設けた縦切目１３から露出している。すなわち、図３に示すように、表生地９と裏生地１０の間に、ウレタンエラストマーフィルム１５および図１１，１２に示すフック金具１６の脚部１６ｂを覆う覆布１４ａとフック金具１６の脚部１６ａが縫糸で取付けられたテープ布１４、そのテープ布１４と同形同大の方形状のウレタンエラストマーフィルム１５を配し、フック金具１６のフック部１６ａを裏生地１０に設けた縦切目１３からフック１６ａのみを露出させ、表生地９の表面からアイロンなどで加熱して一体的にする。
【００１７】
表生地９と裏生地１０を接合一体化するウレタンエラストマーフィルム１１は、図１３，図１４に示すように、バック布４と略同形同大であり、図１３に示すように、長手方向に沿って長い開口部１７を設けるか、あるいは図１４に示すように、長手方向に沿って複数個の開口部１７，１７……１７を設ける場合があり、表生地９と裏生地１０が接合一体化した時に、その開口部１７の存在により、その部分が溶着されず、通気性を阻害することがなくなると共に、伸縮性およびパワーを自在に変更できるようになっている。
【００１８】
上記のように構成された本発明に係るブラジャーなどのバック部を有する衣類の代表的なブラジャーの使用状態を作用、効果と共に説明すれば、左バック布４ａの一側端の表生地９と裏生地１０との間に、アイ金具１２を取付けたテープ布１４を介在させ、表生地９と裏生地１０の間にウレタンエラストマーフィルム１１を挟んでアイロンなどで表面布２の上面から押圧することにより、表生地９と裏生地１０が熱溶着され、その内面に介在するアイ金具１２も一体化される。そして、テープ布１４が表生地９と裏生地１０で隠れることになり、外面に現れることがないのでスッキリとした優美な外観になる。
【００１９】
また、表生地９と裏生地１０を熱溶着して一体化されたバック布４の生地厚さは１．０ｍｍ程度の薄い生地であると共に、縦横特に横方向に大きな伸縮性を有しているから、脇下部から背中部にかけての締め付けが適度であり、身体の運動時においても位置ズレがなくピッタリとフィットする。
【００２０】
さらに、バック布にはフック、アイ金具の取付け位置においても凹凸部が生じることなく段差が殆どないことから、着用した時の肌当たりが良くて着け心地がよく、圧迫感や違和感が生じることがない。
【００２１】
なお、前記実施の形態においては、アイ金具１２を左右に２個取り付けると共に、長さ方向に３段設けた場合について説明したが、本発明は、これらの実施の形態に限定されるものではなく、１段の場合や２段の場合もあり、発明の目的を達成でき、かつ発明の要旨を逸脱しない範囲内において種々の設計変更が可能であることは当然のことである。
【産業上の利用可能性】
【００２２】
本発明は、ブラジャーに限らず、ブラスリップ、ボディスーツ、水着などのバック布を有する衣類全般に利用できる。
【図面の簡単な説明】
【００２３】
【図１】ブラジャーの正面図である。
【図２】バック部の背面図である。
【図３】バック部の要部の分解図である。
【図４】左側バック布の正面図である。
【図５】右側バック布の正面図である。
【図６】図４のＡ−Ａ線拡大断面図である。
【図７】図５のＢ−Ｂ線拡大断面図である。
【図８】図４のＣ−Ｃ線断面図である。
【図９】アイテープの正面図である。
【図１０】図９のＤ−Ｄ線断面図である。
【図１１】フックテープの正面図である。
【図１２】図１０のＥ−Ｅ線断面図である。
【図１３】熱接着フィルムの正面図である。
【図１４】別の熱接着フィルムの正面図である
【符号の説明】
【００２４】
４      バック布
９      表生地
１０    裏生地
１１    熱接着フィルム
１２    雌係止具
１２ａ  頭部
１３    切目
１６    雄係止具
１６ａ  頭部
１７    開口部
【図１】
2006200084.tif 000003
【図２】
2006200084.tif 000004
【図３】
2006200084.tif 000005
【図４】
2006200084.tif 000006
【図５】
2006200084.tif 000007
【図６】
2006200084.tif 000008
【図７】
2006200084.tif 000009
【図８】
2006200084.tif 000010
【図９】
2006200084.tif 000011
【図１０】
2006200084.tif 000012
【図１１】
2006200084.tif 000013
【図１２】
2006200084.tif 000014
【図１３】
2006200084.tif 000015
【図１４】
2006200084.tif 000016